(57)【要約】サーバ装置２は、所定区間に対応する車両の自動運転を規制するための自動運転規制情報Ｉｒを含む配信地図ＤＢ２１を記憶し、自動運転規制情報Ｉｒを含む地図データＤ１を運転支援装置１へ送信する。そして、運転支援装置１は、自動運転規制情報Ｉｒを含む地図データＤ１を受信し、受信した自動運転規制情報Ｉｒに基づいて、車両の自動運転を制御する。
2016152874.tif 000002
【特許請求の範囲】
【請求項１】
所定区間毎に、車両が実行可能な自動運転の程度を示す自動運転規制情報を記憶する記憶部と、
前記自動運転規制情報を、車両又は車両と通信可能な配信装置に送信する送信部と、
を備えることを特徴とする地図情報記憶装置。
【請求項２】
前記記憶部は、表示部に地図を表示させるための地図情報をさらに記憶し、
前記送信部は、前記地図情報と、前記地図における所定区間に対応する前記自動運転規制情報とを、前記車両又は前記配信装置へ送信することを特徴とする請求項１に記載の地図情報記憶装置。
【請求項３】
前記自動運転規制情報は、車両が実行可能な自動運転の機能ごとの程度を示す情報であることを特徴とする請求項１又は２に記載の地図情報記憶装置。
【請求項４】
所定区間毎に、車両が実行可能な自動運転の程度を示す自動運転規制情報を取得する取得部と、
前記自動運転規制情報に基づいて、車両の自動運転を制御する制御部と、
を備えることを特徴とする自動運転制御装置。
【請求項５】
前記車両の自動運転に関する能力を示す能力情報を記憶する記憶部をさらに備え、
前記制御部は、前記能力情報と、前記自動運転規制情報とに基づいて、前記自動運転を制御することを特徴とする請求項４に記載の自動運転制御装置。
【請求項６】
地図を表示する表示部を更に備え、
前記表示部は、前記自動運転規制情報に基づいて、前記地図に含まれる各区間において実行可能な前記自動運転の程度を、前記地図上に明示することを特徴とする請求項４または５に記載の自動運転制御装置。
【請求項７】
所定区間に対応する車両の自動運転を規制するための自動運転規制情報と、表示部に地図を表示させるための地図情報と、を記憶する記憶部と、
前記地図情報と、前記地図における所定区間に対応する前記自動運転規制情報と、を車両又は車両と通信可能な配信装置に送信する送信部と、
を備えることを特徴とする地図情報記憶装置。
【請求項８】
所定区間毎に、車両が実行可能な自動運転の程度を示す自動運転規制情報を記憶する記憶部を有する地図情報記憶装置が実行する制御方法であって、
前記自動運転規制情報を、車両又は車両と通信可能な配信装置に送信する送信工程
を有することを特徴とする制御方法。
【請求項９】
所定区間毎に、車両が実行可能な自動運転の程度を示す自動運転規制情報を記憶する記憶部を有する地図情報記憶装置のコンピュータが実行するプログラムであって、
前記自動運転規制情報を、車両又は車両と通信可能な配信装置に送信する送信部
として前記コンピュータを機能させることを特徴とするプログラム。
【請求項１０】
請求項９に記載のプログラムを記憶したことを特徴とする記憶媒体。
【発明の詳細な説明】
【技術分野】
【０００１】
本発明は、自動運転の技術に関する。
【背景技術】
【０００２】
従来から、車両の走行を自動制御する所謂自動運転の技術が知られている。自動運転を実行する場合には、例えば、カメラなどの外界センサを用いて、白線や前方車両などの自車両周辺の情報を認識することや、加速度センサやジャイロ等の内界センサを用いて車両の姿勢や状態を把握する必要がある。特許文献１には、車両に設置されたカメラの画像等に基づいて走行中の車線や静止物標を認識する技術が開示されている。また、特許文献２には、自動運転に関する技術が開示されている。
【先行技術文献】
【特許文献】
【０００３】
【特許文献１】特開２０１４−０９３０１８号公報
【特許文献２】特開２０１４−１０６８５４号公報
【発明の概要】
【発明が解決しようとする課題】
【０００４】
自動運転機能を搭載した車両による自動運転の実行は、地域によっては禁止される場合がある。例えば、米国における州法などで、同じ国内でも地域によって自動運転が禁止される場合や、欧州のような陸続きのエリアで、それぞれの国の法律によって自動運転が禁止される場合があり得る。このような場合、自動運転機能を搭載した自動車の運転者は、国境や州境を越える度に自動運転機能をオンにしたりオフにしたりする操作を行わなければならないという課題がある。【０００５】
また、自動運転が法律等で禁止されていない地域の場合でも、道路区間によっては自動運転を規制した方が好ましい場合がある。例えば、商店街の狭い路地など、人々の往来が激しく自動運転走行が困難又は危険な道路区間、あるいは、政府の重要施設周辺など、無人の自動運転車に爆発物を搭載する等のテロを起こされる可能性のある道路区間などでは、自動走行を許可しない方がよい場合がある。【０００６】
一方、自動運転に関する規制を標識によって報知する場合、車両は、例えば、カメラ等のセンサによって標識等を読み取ることで、自動運転に関する規制を認識する必要がある。しかし、この場合、気象条件や環境などの影響によっては、センサによる認識精度には限界があり、確実性が保証されないという問題がある。また、地域や区間等の性質や環境によっては自動運転の程度や自動運転の機能の一部を規制した方が安全に寄与する場合がある。しかし、このような細かな自動運転の規制については、上述の特許文献では考慮されていない。【０００７】
本発明は、上記のような課題を解決するためになされたものであり、自動運転に関する規制を、自動運転を行う車両に好適に認識させることが可能な地図情報記憶装置及び規制を認識して自動運転を制御する自動運転制御装置を提供することを主な目的とする。
【課題を解決するための手段】
【０００８】
請求項に記載の発明は、地図情報記憶装置であって、所定区間毎に、車両が実行可能な自動運転の程度を示す自動運転規制情報を記憶する記憶部と、前記自動運転規制情報を、車両又は車両と通信可能な配信装置に送信する送信部と、を備えることを特徴とする。【０００９】
また、請求項に記載の発明は、自動運転制御装置であって、所定区間毎に、車両が実行可能な自動運転の程度を示す自動運転規制情報を取得する取得部と、前記自動運転規制情報に基づいて、車両の自動運転を制御する制御部と、を備えることを特徴とする。【００１０】
また、請求項に記載の発明は、地図情報記憶装置であって、所定区間に対応する車両の自動運転を規制するための自動運転規制情報と、表示部に地図を表示させるための地図情報と、を記憶する記憶部と、前記地図情報と、前記地図における所定区間に対応する前記自動運転規制情報と、を車両又は車両と通信可能な配信装置に送信する送信部と、を備えることを特徴とする。【００１１】
また、請求項に記載の発明は、所定区間毎に、車両が実行可能な自動運転の程度を示す自動運転規制情報を記憶する記憶部を有する地図情報記憶装置が実行する制御方法であって、前記自動運転規制情報を、車両又は車両と通信可能な配信装置に送信する送信工程を有することを特徴とする。【００１２】
また、請求項に記載の発明は、所定区間毎に、車両が実行可能な自動運転の程度を示す自動運転規制情報を記憶する記憶部を有する地図情報記憶装置のコンピュータが実行するプログラムであって、前記自動運転規制情報を、車両又は車両と通信可能な配信装置に送信する送信部として前記コンピュータを機能させることを特徴とする。
【図面の簡単な説明】
【００１３】
【図１】自動運転システムの概略構成である。
【図２】運転支援装置のブロック構成を示す。
【図３】サーバ装置のブロック構成を示す。
【図４】走行区間判定テーブル、地図データベース、及び自動運転能力情報のデータ構造を示す。
【図５】自動運転規制情報のデータ構造を示す。
【図６】比較的縮尺が大きい場合の自動運転規制情報に基づく地図表示例を示す。
【図７】比較的縮尺が小さい場合の自動運転規制情報に基づく地図表示例を示す。
【図８】変形例に係る自動運転能力情報及び自動運転規制情報のデータ構造を示す。
【図９】変形例に係る自動運転規制情報の一部のデータ構造を示す。
【図１０】図９の自動運転規制情報に基づく表示例である。
【発明を実施するための形態】
【００１４】
本発明の好適な実施形態によれば、地図情報記憶装置は、所定区間毎に、車両が実行可能な自動運転の程度を示す自動運転規制情報を記憶する記憶部と、前記自動運転規制情報を、車両又は車両と通信可能な配信装置に送信する送信部と、を備える。
【００１５】
本発明における「自動運転」とは、どのような環境下においても運転者が全く運転動作に介入しない「完全な自動運転」のみならず、特定の環境・条件が揃った場合にのみ運転者が運転操作を行う必要のない「一時的な自動運転」も含むものとする。また、本発明における「自動運転」とは、運転者が運転操作を行う場合であっても、運転者の運転負荷を軽減したり、車両の走行の安定性を維持するような目的で、運転の一部（例えば、車両の操舵等）を自動で制御するような「部分的な自動運転」（運転支援機能）も含むものとする。
【００１６】
上記地図情報記憶装置は、記憶部と、送信部とを備える。記憶部は、所定区間毎に、車両が実行可能な自動運転の程度を示す自動運転規制情報を記憶する。送信部は、自動運転規制情報を、車両又は車両と通信可能な配信装置に送信する。この態様では、地図情報記憶装置は、所定区間毎に車両が実行可能な自動運転の程度を示す自動運転規制情報を車両に好適に報知し、車両の自動運転を好適に規制することができる。なお、「車両」は、車両と共に移動する端末装置を含む。
【００１７】
上記地図情報記憶装置の一態様では、前記記憶部は、表示部に地図を表示させるための地図情報をさらに記憶し、前記送信部は、前記地図情報と、前記地図における所定区間に対応する前記自動運転規制情報とを、前記車両又は前記配信装置へ送信する。この態様により、地図情報記憶装置は、表示部に表示させる地図上の道路区間における自動運転の規制を車両に好適に報知することができる。よって、車両は、例えば、自動運転に関する規制を地図上に表示して運転者に視認させることができる。
【００１８】
上記地図情報記憶装置の他の一態様では、前記自動運転規制情報は、車輛が実行可能な自動運転の機能ごとの程度を示す情報である。このように、自動運転の機能ごとに程度が存在し、実行可能な自動運転の程度が機能ごとに規制されていた場合であっても、地図情報記憶装置は、車両の自動運転を好適に規制することができる。
【００１９】
本発明の他の好適な実施形態によれば、自動運転制御装置は、所定区間毎に、車両が実行可能な自動運転の程度を示す自動運転規制情報を取得する取得部と、前記自動運転規制情報に基づいて、車両の自動運転を制御する制御部と、を備える。自動運転制御装置は、この態様により、自動運転規制情報が示す車両が実行可能な自動運転の程度に関する規制に従い車両の自動運転を制御することができる。
【００２０】
上記自動運転制御装置の一態様では、自動運転制御装置は、前記車両の自動運転に関する能力を示す能力情報を記憶する記憶部をさらに備え、前記制御部は、前記能力情報と、前記自動運転規制情報とに基づいて、前記自動運転を制御する。この態様により、自動運転制御装置は、自動運転の実行可否を好適に判定することができる。
【００２１】
上記自動運転制御装置の他の一態様では、自動運転制御装置は、地図を表示する表示部を更に備え、前記表示部は、前記自動運転規制情報に基づいて、前記地図に含まれる各区間において実行可能な前記自動運転の程度を、前記地図上に明示する。この態様により、自動運転制御装置は、地図上の各区間における自動運転の規制を好適に運転者に視認させることができる。
【００２２】
本発明の他の好適な実施形態によれば、地図情報記憶装置は、所定区間に対応する車両の自動運転を規制するための自動運転規制情報と、表示部に地図を表示させるための地図情報と、を記憶する記憶部と、前記地図情報と、前記地図における所定区間に対応する前記自動運転規制情報と、を車両又は車両と通信可能な配信装置に送信する送信部と、を備える。この態様により、地図情報記憶装置は、表示部に表示させる地図上の道路区間における自動運転の規制を車両に好適に報知することができる。
【００２３】
本発明の他の好適な実施形態によれば、所定区間毎に、車両が実行可能な自動運転の程度を示す自動運転規制情報を記憶する記憶部を有する地図情報記憶装置が実行する制御方法であって、前記自動運転規制情報を、車両又は車両と通信可能な配信装置に送信する送信工程を有する。地図情報記憶装置は、この制御方法を実行することで、車両に実行可能な自動運転の程度を好適に把握させ、車両の自動運転を好適に規制することができる。
【００２４】
本発明の他の好適な実施形態によれば、所定区間毎に、車両が実行可能な自動運転の程度を示す自動運転規制情報を記憶する記憶部を有する地図情報記憶装置のコンピュータが実行するプログラムであって、前記自動運転規制情報を、車両又は車両と通信可能な配信装置に送信する送信部として前記コンピュータを機能させる。コンピュータは、このプログラムを実行することで、車両に実行可能な自動運転の程度を好適に把握させ、車両の自動運転を好適に規制することができる。好適には、上記プログラムは、記憶媒体に記憶される。
【実施例】
【００２５】
以下、図面を参照して本発明の好適な実施例について説明する。【００２６】
［自動運転システムの概要］
図１は、本実施例に係る自動運転システムの概略構成である。自動運転システムは、各車両と共に移動する運転支援装置１と、各運転支援装置１とネットワーク９を介して通信を行うサーバ装置２とを備える。そして、自動運転システムは、道路区間ごとに設定された交通規制に応じた自動運転を好適に運転支援装置１に実行させる。【００２７】
運転支援装置１は、据置型の運転支援装置又はスマートフォンなどの携帯端末であって、自車位置が属するエリアに応じて、当該エリアの地図データ「Ｄ１」をサーバ装置２の配信地図ＤＢ２１から取得し、部分地図ＤＢ１０として記憶する。そして、運転支援装置１は、部分地図ＤＢ１０を参照し、ユーザが設定した目的地への経路探索や、設定された経路に基づく案内等を行う。【００２８】
また、運転支援装置１は、カメラなどから構成されるセンサ１３の出力に基づき、一部又は全部の運転操作を半自動又は全自動で行う自動運転を行う。ここで、自動運転には、運転の自動化のレベル（「自動化レベルＬｖ」とも呼ぶ。）が定義されている。運転支援装置１は、部分地図ＤＢ１０に含まれる自動運転に関する規制情報（「自動運転規制情報Ｉｒ」とも呼ぶ。）と、運転支援装置１の車両が実行可能な自動運転の能力に関する情報（「自動運転能力情報Ｉｃ」とも呼ぶ。）とに基づき、実行可能な自動運転の自動化レベルＬｖを認識する。なお、本実施例では、自動化レベルＬｖは、一例として、レベル１〜４が存在するものとする。例えば、レベル１は、加速・操舵・制動のいずれかを自動化するレベル、レベル２は、加速・操舵・制動のうち複数の操作を同時に自動化するレベル、レベル３は、加速・操舵・制動を緊急時以外では全て自動化するレベル、レベル４は、運転者が運転操作を行わない完全自動化となるレベルであってもよい。運転支援装置１は、本発明における「自動運転制御装置」の一例である。【００２９】
サーバ装置２は、配信地図ＤＢ２１を記憶し、運転支援装置１からの要求に応じて、要求元の運転支援装置１が存在するエリアに対応する地図データＤ１を配信地図ＤＢ２１から抽出して送信する。配信地図ＤＢ２１には、道路区間ごとの自動運転規制情報Ｉｒが含まれている。サーバ装置２は、本発明における「地図情報記憶装置」の一例である。上述の道路区間は、任意に道路を区切った単位区間を示し、例えば、地図データ上での道路を表すリンクに対応してもよい。【００３０】
［運転支援装置の構成］
図２は、運転支援装置１の機能的構成を表すブロック図を示す。図２に示すように、運転支援装置１は、主に、通信部１１と、記憶部１２と、センサ部１３と、入力部１４と、制御部１５と、出力部１６とを有する。通信部１１、記憶部１２、センサ部１３、入力部１４、制御部１５及び出力部１６は、バスラインを介して相互に接続されている。【００３１】
通信部１１は、制御部１５の制御に基づき、サーバ装置２から地図データＤ１を取得する。また、通信部１１は、制御部１５の制御に基づき、天候情報を配信するサーバ装置等から天候情報を取得する。【００３２】
記憶部１２は、制御部１５が実行するプログラムや、制御部１５が所定の処理を実行するのに必要な情報を記憶する。本実施例では、記憶部１２は、自動運転規制情報Ｉｒを含む部分地図ＤＢ１０と、自動運転能力情報Ｉｃと、現在位置情報に対応する道路区間及び車線を対応付けたテーブルである走行区間判定テーブルＴｃと、運転支援装置１の車両に割り当てられた識別番号等を示す車両識別情報Ｉｄとを記憶する。車両識別情報Ｉｄが示す識別番号は、個々の車両ごとに固有の識別番号であってもよく、車種ごとに固有の識別番号であってもよい。車両識別情報Ｉｄは、後述するように、自動運転規制情報Ｉｒにおいて自動運転を許可する車両の識別番号が指定されていた際に、自車が自動運転を許可された車両であるか否かを判定するのに用いられる。【００３３】
センサ部１３は、車両の状態を検出する内界センサ及び車両の周辺環境を認識するための外界センサから構成され、カメラ３１と、ライダ（ＬＩＤＡＲ：Ｌａｓｅｒ  Ｉｌｌｕｍｉｎａｔｅｄ  Ｄｅｔｅｃｔｉｏｎ  Ａｎｄ  Ｒａｎｇｉｎｇ）（又は／及びレーダ）３２と、ＧＰＳ受信機３３と、加速度センサ３４と、速度センサ３５などを含む。カメラ３１は、外界の状況を表す色付きの画像を生成する。ライダ３２は、外界に存在する物体までの距離を離散的に測定し、当該物体の位置を３次元の点群として認識する。ＧＰＳ受信機３３は、現在の車両の位置を表す緯度及び経度の位置情報を生成する。加速度センサ３４は、車両の加速度を検出する。速度センサ３５は、車両の速度を検出する。なお、センサ部１３は、車両の姿勢（向きなど）を認識して他のセンサの取得データを補正するための慣性計測装置（ＩＭＵ：Ｉｎｅｒｔｉａｌ  Ｍｅａｓｕｒｅｍｅｎｔ  Ｕｎｉｔ）やジャイロセンサなどを備えてもよい。また、センサ部１３は、雨滴センサ（レインセンサ）や霧センサなどの天候状態を測定するセンサを含んでもよい。この場合、制御部１５は、通信部１１から取得する天候情報に加えて、又はこれに代えて、センサ部１３の出力に基づき現在の天候状態を判定し、天候情報を生成する。【００３４】
入力部１４は、ユーザが操作するためのボタン、タッチパネル、リモートコントローラ、音声入力装置等であり、経路探索のための目的地を指定する入力、自動運転のオン及びオフを指定する入力などを受け付ける。また、入力部１４は、乗車した人物の運転能力に関する情報（例えば、運転免許の有無、運転スキル等）を受け付けても良い。また、入力部１４が受け付けた情報は、制御部１５の制御に基づき、記憶部１２に記憶させるようにしてもよい。なお、制御部１５は、入力部１４へのユーザ入力に基づき運転能力に関する情報を取得する代わりに、認証手段により運転手の個人認証を行い、認証されたユーザに紐付けられた運転能力に関する情報を電子的に取得してもよい。この場合、例えば、制御部１５は、生体認証又は個人ＩＣカード等の読み取り等により運転手を特定するＩＤ等を取得し、運転操作履歴情報や免許取得情報等の個人と紐付けられた情報を管理するサーバ装置に対し、生体認証等により取得したＩＤを指定した要求信号を通信部１１により送信する。そして、制御部１５は、上述のサーバ装置から、要求信号において指定したＩＤに対応する運転者の運転能力に関する情報等を、通信部１１により受信する。このように、制御部１５は、運転能力に関する情報を電子的に取得してもよい。【００３５】
出力部１６は、例えば、制御部１５の制御に基づき出力を行うディスプレイやスピーカ等である。本実施例では、出力部１６は、部分地図ＤＢ１０に基づく現在位置周辺の地図を表示する。【００３６】
制御部１５は、プログラムを実行するＣＰＵなどを含み、運転支援装置１の全体を制御する。制御部１５は、入力部１４により入力された目的地までの経路探索を行い、自動運転や経路案内のための経路を設定する。また、制御部１５は、通信部１１が取得した地図データＤ１を部分地図ＤＢ１０に登録する。この場合、制御部１５は、例えば、部分地図ＤＢ１０に地図データが登録されていないエリアに進入予定の場合、又は近付いた場合に、当該エリアを指定する情報を通信部１１によりサーバ装置２へ送信することで、上述のエリアの地図データＤ１を通信部１１により取得する。【００３７】
また、本実施例では、制御部１５は、自動運転判定部１７と、自動運転制御部１８と、表示制御部１９とを有する。【００３８】
自動運転判定部１７は、センサ部１３の出力及び、部分地図ＤＢ１０の情報等に基づき認識した現在位置を示す現在位置情報から、車両が現在走行中の道路区間（「走行区間」とも呼ぶ。）及び車線（「走行車線」とも呼ぶ。）を認識する。そして、自動運転判定部１７は、認識した走行区間及び走行車線に対応する自動運転規制情報Ｉｒを部分地図ＤＢ１０から抽出し、記憶部１２が記憶する自動運転能力情報Ｉｃ及び車両識別情報Ｉｄを参照することで、実行可能な自動運転の自動化レベルＬｖを認識する。【００３９】
自動運転制御部１８は、設定された経路に基づき、センサ部１３の出力情報を利用して車両の自動運転を行う。このとき、自動運転制御部１８は、自動運転判定部１７の判定結果に基づき、自動運転の自動化レベルＬｖを決定する。【００４０】
表示制御部１９は、自動運転制御部１８を参照し、現在位置周辺の地図を出力部１６により表示する。このとき、制御部１５は、自動運転規制情報Ｉｒに基づき、道路区間ごと又はエリアごとに実行可能な自動運転の自動化レベルＬｖを明示した地図画面を表示する。【００４１】
なお、制御部１５は、本発明における「取得部」及び「制御部」の一例である。【００４２】
［サーバ装置の構成］
図３は、サーバ装置２の概略構成を示す。図３に示すように、サーバ装置２は、通信部２６と、記憶部２７と、制御部２８とを有する。通信部２６、記憶部２７、及び制御部２８は、バスラインを介して相互に接続されている。【００４３】
通信部２６は、制御部２８の制御に基づき、ネットワーク９を介し、ナビゲーション装置１と各種データの通信を行う。本実施例では、通信部２６は、運転支援装置１から地図データＤ１の取得要求を受信した場合に、制御部２８が抽出した地図データＤ１を運転支援装置１へ送信する。【００４４】
記憶部２７は、サーバ装置２の動作を制御するためのプログラムを保存したり、サーバ装置２の動作に必要な情報を保持したりする。また、記憶部２７は、道路区間ごとの自動運転規制情報Ｉｒなどを含む配信地図ＤＢ２１を記憶する。【００４５】
制御部２８は、図示しないＣＰＵ、ＲＯＭ及びＲＡＭなどを備え、サーバ装置２内の各構成要素に対して種々の制御を行う。本実施例では、制御部２８は、運転支援装置１から地図データＤ１の取得要求を通信部２６が受信した場合に、当該取得要求において指定されたエリアの地図データを配信地図ＤＢ２１から抽出する。そして、制御部２８は、抽出した地図データを、地図データＤ１として通信部２６により運転支援装置１へ送信する。制御部２８は、本発明における「送信部」、及び本発明におけるプログラムを実行するコンピュータの一例である。【００４６】
［データ構造］
図４（Ａ）は、道路区間変換テーブルＴｃのデータ構造の一例を示す。図４（Ａ）に示す道路区間変換テーブルＴｃでは、現在位置情報と、当該現在位置情報が示す位置に存在する道路区間を表す道路区間情報と、上記現在位置情報が示す位置に存在する車線を表す車線情報とが少なくとも関連付けられている。自動運転判定部１７は、図４（Ａ）に示す道路区間変換テーブルＴｃを参照することで、センサ部１３及び、部分地図ＤＢ１０の情報等から取得した現在位置を示す現在位置情報に基づき、車両が存在する走行区間及び走行車線を認識する。【００４７】
図４（Ｂ）は、部分地図ＤＢ１０及び配信地図ＤＢ２１に含まれる情報のうち、自動運転に関連する情報を可視化した図である。図４（Ｂ）に示すように、部分地図ＤＢ１０及び配信地図ＤＢ２１は、車線情報と、ランドマーク情報と、ペイント情報と、道路属性情報と、規制情報とを含む。車線情報は、車線に関する情報であり、例えば、車線数の情報、車線の位置情報、当該車線が合流レーンであるか又は分岐レーンであるか等の車線の属性情報を含む。また、車線情報は、自動運転車両専用車線に関する情報を含む。例えば、自動運転車両専用車線に関する情報は、自動運転車両専用車線の有無を示す情報、自動運転車両専用車線が存在する場合の自動運転車両専用車線の車線数を示す情報及び各自動運転車両専用車線の位置を示す情報等を含む。ランドマーク情報は、自動運転時に運転支援装置１が検出すべき対象物となるランドマークに関する情報であって、例えば、電柱、ガードレール、道路標識、信号等の存在の有無を示す情報、これらが存在する場合の位置情報、高さ情報、及び形状情報などが含まれる。ペイント情報は、白線、黄線、横断歩道などの路面ペイントに関する情報であって、例えば、これらの位置、線幅、線種などの情報を含む。道路属性情報は、対応する道路区間における道路の状態を示す情報であり、例えば、道路区間における高低差、平均バンク角、路面状態（砂利道又は舗装道路等）などの情報を含む。規制情報は、運転に関する規制情報であって、走行速度を制限する情報である速度規制情報と、車線の通行を制限する情報である車線規制情報と、自動運転規制情報Ｉｒとを含む。【００４８】
図５は、自動運転規制情報Ｉｒのデータ構造の一例である。自動運転規制情報Ｉｒは、「道路区間」、「車線」、「規制内容」の各項目を含む。項目「規制内容」には、各道路区間の車線ごと及び天候ごとに、自動運転に関する規制の内容が登録されている。例えば、道路区間Ａの車線Ａ１の場合、天候が「晴れ」のときには、自動運転に関する規制がない。また、道路区間Ａの車線Ａ２の場合、天候が「晴れ」のときには、識別番号が「１３５６４」等に該当する車両のみが自動運転を許可されており、その他の車両については自動運転が禁止されている。また、道路区間Ｂの車線Ｂ１の場合、天候が「晴れ」のときには、自動化レベルＬｖがレベル２以下のみ自動運転が許可されている。また、道路区間Ｂの車線Ｂ２の場合、天候によらず全ての自動化レベルＬｖに対応する自動運転が禁止されている。【００４９】
一般的に、悪天候の場合は、自動運転に用いられるセンサ等の検出精度が低下すること等に起因して、天気が良い場合に比べて自動運転が困難となることが予想される。以上を勘案し、図５に示す自動運転規制情報Ｉｒでは、天候毎に規制内容が登録されている。なお、図５の例に代えて、天候毎に登録せずに、車線毎に規制内容を登録するようにしてもよい。この場合は、所定の天候（例えば晴れ）の時の規制内容を車線毎に登録するようにすればよい。【００５０】
また、図５の例では、道路区間Ｂの車線Ｂ３の場合、自動運転車両専用レーンである旨及び自動運転に関する規制がない旨が登録されている。このように、自動運転車両専用レーンの場合は、自動運転車両専用レーンである旨に加え、自動運転に関する規制が無い旨の情報や、所定のレベル以下の自動運転を禁止する旨の情報等の自動運転に関する規制の情報を登録するようにしてもよい。【００５１】
図４（Ｃ）は、自動運転能力情報Ｉｃのデータ構造の一例である。自動運転能力情報Ｉｃには、自動化レベルＬｖごとに、車両の対応の有無及び使用するセンサが規定されている。図４（Ｃ）に示す自動運転能力情報Ｉｃによれば、運転支援装置１の車両は、自動化レベルＬｖがレベル１〜３までの自動運転に対応しており、レベル４の自動運転には対応していない。また、センサ部１３がカメラ３１及びライダ３２を有することから、運転支援装置１は、自動運転の規制がない道路では、レベル１〜３の自動運転制御を実行することが可能である。なお、項目「使用センサ」で指定されたセンサが故障等により使用可能状態でない場合、又は、当該センサが車両若しくは運転支援装置１に付属していない場合には、自動運転判定部１７は、項目「車種対応」で「○」となっている自動化レベルＬｖであっても、当該自動化レベルＬｖに基づく自動運転は実行できないと判断する。【００５２】
ここで、図４（Ｃ）及び図５を参照し、自動運転判定部１７の判定方法の具体例について説明する。【００５３】
例えば、自動運転判定部１７は、運転支援装置１の車両が道路区間Ａの車線Ａ１を走行中であり、かつ天候が「晴れ」であると判断した場合、自動運転規制情報Ｉｒを参照し、自動運転に関する規制がないことを認識する。よって、この場合、自動運転判定部１７は、レベル１〜３の自動運転が可能であると判定し、自動運転制御部１８は、例えば、実行可能な最高のレベルであるレベル３により自動運転を行う。また、自動運転判定部１７は、運転支援装置１の車両が道路区間Ａの車線Ａ２を走行中であり、かつ天候が「晴れ」であると判断した場合、記憶部１２が記憶する車両識別情報Ｉｄが示す識別番号が、道路区間Ａの車線Ａ２に対応する項目「規制内容」において指定された識別番号であるか否か判定する。そして、自動運転判定部１７は、記憶部１２が記憶する車両識別情報Ｉｄが示す識別番号が、道路区間Ａの車線Ａ２に対応する項目「規制内容」において指定された識別番号である場合、レベル１〜３の自動運転が可能であると判定し、それ以外の場合には自動運転が不可であると判定する。【００５４】
また、自動運転判定部１７は、運転支援装置１の車両が道路区間Ｂの車線Ｂ１を走行中であり、かつ天候が「晴れ」であると判断した場合、自動運転規制情報Ｉｒを参照し、レベル２までの自動運転が可能であることを認識する。よって、この場合、自動運転制御部１８は、例えば、実行可能な最高のレベルであるレベル２により自動運転を行う。また、自動運転判定部１７は、運転支援装置１の車両が道路区間Ｂの車線Ｂ２を走行していると判断した場合、自動運転規制情報Ｉｒを参照し、車線Ｂ２では自動運転が禁止されていることを認識する。よって、この場合、自動運転制御部１８は、自動運転制御を実行しない。【００５５】
なお、図５に示した自動運転規制情報Ｉｒおよび図４（Ｃ）に示した自動運転能力情報Ｉｃは、所定の地域毎に異なる内容の情報であってもよい。この場合、記憶部１２は、所定の地域ごとに異なる自動運転規制情報Ｉｒ及び自動運転能力情報Ｉｃを記憶する。自動運転レベルの定義は、地域毎（例えば欧州における国境や北米の州毎）に定義が異なることが予測されるためである。また、制御部１５は、所定の時間経過毎に最新の自動運転規制情報Ｉｒおよび自動運転能力情報Ｉｃをサーバ装置２等から受信し、所定の時間経過毎に記憶部１２に記憶した自動運転規制情報Ｉｒおよび自動運転能力情報Ｉｃを更新することが望ましい。自動運転レベルの定義は、時間の経過とともに変更されることが予測されるためである。【００５６】
また、自動運転判定部１７は、入力部１４によって、搭乗者（運転車）の運転能力に関する情報を受け付けた場合、当該運転能力に関する情報を更に考慮して、自動運転制御部１８が実行する自動運転の程度（レベル）を判定してもよい。例えば、搭乗者の運転能力が低い場合は、自動運転レベル３以下の制御を禁止し、自動運転レベル４の制御のみを実行させるようにしても良い。【００５７】
［表示例］
図６及び図７は、表示制御部１９が部分地図ＤＢ１０を参照して表示する地図画面の表示例である。図６及び図７では、表示制御部１９は、部分地図ＤＢ１０を参照し、ＧＰＳ受信機３３等により測定した現在位置周辺の地図を表示している。【００５８】
図６は、比較的縮尺が大きい場合の表示例である。ここでは、地図の表示範囲内には、道路８１〜８８が存在している。なお、マーク７０は、車両の現在位置を示す。図６の例では、表示制御部１９は、自動運転規制情報Ｉｒにより規制されていない自動化レベルＬｖを示す線（「レベル表示線Ｌｎ」とも呼ぶ。）を道路８１〜８８上に表示している。ここで、表示制御部１９は、レベル表示線Ｌｎの線種を、自動運転規制情報Ｉｒに基づく自動運転の規制内で実行可能な最大の自動化レベルＬｖに応じて決定している。図６では、表示制御部１９は、自動化レベルＬｖの最大がレベル３である道路区間に対応する道路８１、８２を、実線のレベル表示線Ｌｎにより重ね、自動化レベルＬｖの最大がレベル２である道路区間に対応する道路８３、８４を、点線のレベル表示線Ｌｎにより重ねて表示している。また、表示制御部１９は、自動化レベルＬｖの最大がレベル１である道路区間に対応する道路８５〜８７を、一点鎖線のレベル表示線Ｌｎにより重ね、自動運転が禁止されている道路区間に対応する道路８８を、二点鎖線のレベル表示線Ｌｎにより重ねて表示している。なお、表示制御部１９は、線種に代えて、線幅又は／及び線色を（又は表示する道路そのものの色を）、自動運転規制情報Ｉｒに基づく規制内で実行可能な最大の自動化レベルＬｖに応じて変えてもよい。【００５９】
図７は、比較的縮尺が小さい場合の表示例である。図７の例では、表示制御部１９は、まず、現在位置周辺の地図を所定数のメッシュに分割する。次に、メッシュ毎に、当該メッシュのそれぞれに含まれる道路区間（又は車線）における、自動運転の規制内容の情報（各道路区間又は車線における自動運転レベル）を取得する。そして、各メッシュのそれぞれを、取得した規制内容の情報に応じた色で表示する。このように表示することで、利用者は所定の位置（例えば現在位置）から、どの程度の規制内容で、どの程度走行することができるのかを俯瞰することができる。言いかえれば、利用者は所定の位置（例えば現在位置）から、ある特定の自動運転レベルで行くことができる範囲や場所を容易に把握することが可能となる。【００６０】
なお、一つのメッシュに対し複数の規制内容の情報が取得された場合、第１の例では、各メッシュ内における最も占有面積が大きい道路区間（又は車線）における自動運転の規制内容の情報を採用するようにしてもよい。第２の例では、各メッシュ内における最も高い自動運転レベルを採用してもよい。第１及び第２の例によれば、少なくとも各メッシュには、採用された自動運転のレベルに対応する道路又は車線が存在するということを利用者が把握できるようになる。また、第３の例では、各メッシュ内における最も低い自動運転レベルを採用するようにしても良い。第３の例によれば、メッシュのそれぞれが最低でもその自動運転レベルを維持して走行することができるということを利用者が把握できるようになる。言いかえれば、利用者は、確実に実行可能な自動運転レベルを把握することが可能となる。また、第４の例では、所定の走行ルートが設定されている場合には、当該走行ルートに含まれている道路又は車線に対応する自動運転レベルを採用するようにしてもよい。第４の例によれば、利用者は、走行ルートに従って走行する際の自動運転レベルの推移を容易に把握することが可能となる。【００６１】
また、表示制御部１９は、表示させる地図の縮尺情報を取得し、当該縮尺情報に応じて、表示の態様を変えるようにしてもよい。例えば、所定の縮尺よりも大きい場合は、図６のように、道路又は車線毎に規制内容の情報（自動運転レベル）をレベル表示線Ｌｎにより表示し、所定の縮尺よりも小さい場合には、図７のようにメッシュ毎に規制内容の情報を表示するようにしてもよい。【００６２】
このように、運転支援装置１は、自動運転規制情報Ｉｒにより規制されていない自動運転の自動化レベルＬｖが視認可能な態様により地図を表示することで、運転操作が必要な区間及び必要とされる運転操作の程度を好適に運転者に認識させることができる。【００６３】
なお、図６の表示例では、表示制御部１９は、運転支援装置１の車両が地図中の各道路を通過する際に実行する自動化レベルＬｖに応じて、各道路に重ねて表示するレベル表示線Ｌｎの表示態様を変えてもよい。この場合、表示制御部１９は、自動運転規制情報Ｉｒに加え、記憶部１２に記憶する車両識別情報Ｉｄ及び自動運転能力情報Ｉｃをさらに勘案することで、地図上に表示される各道路について実行可能な自動化レベルＬｖを判定し、その判定結果に基づきレベル表示線Ｌｎを表示する。表示制御部１９は、図７の表示例においても同様に、運転支援装置１の車両がメッシュ内の各道路を通過する際に実行する自動化レベルＬｖに応じて、各メッシュの表示態様を変えてもよい。【００６４】
以上説明したように、本実施例に係るサーバ装置２は、所定区間に対応する車両の自動運転を規制するための自動運転規制情報Ｉｒを含む配信地図ＤＢ２１を記憶し、自動運転規制情報Ｉｒを含む地図データＤ１を運転支援装置１へ送信する。そして、運転支援装置１は、自動運転規制情報Ｉｒを含む地図データＤ１を受信し、受信した自動運転規制情報Ｉｒに基づいて、車両の自動運転を制御する。これにより、サーバ装置２は、車両の運転支援装置１に自動運転の規制を把握させ、車両の自動運転を好適に規制することができる。【００６５】
［変形例］
次に、実施例に好適な変形例について説明する。以下の変形例は、任意に組み合わせて上述の実施例に適用してもよい。【００６６】
（変形例１）
図２のブロック構成は、一例であり、本発明が適用可能なブロック構成は、これに限定されない。例えば、サーバ装置２は、運転支援装置１に代えて、実施例で説明した自動運転判定部１７の処理を実行してもよい。【００６７】
この場合、サーバ装置２は、走行中の車両の運転支援装置１から現在位置情報、自動運転能力情報Ｉｃ、及び車両識別情報Ｉｄ等を受信し、受信した現在位置情報が示す位置に対応する道路区間及び車線を認識する。そして、サーバ装置２は、認識した道路区間及び車線に対応する配信地図ＤＢ２１の自動運転規制情報Ｉｒを参照し、運転支援装置１を搭載する車両が実行可能な自動化レベルＬｖを判定する。そして、サーバ装置２は、実行可能な自動化レベルＬｖの情報を運転支援装置１へ送信する。この場合、運転支援装置１の自動運転制御部１８は、サーバ装置２から受信した情報に基づき、実行可能な自動化レベルＬｖを認識して自動運転を実行する。【００６８】
（変形例２）
自動運転規制情報Ｉｒは、自動化する運転機能（「自動運転機能Ｆｃ」とも呼ぶ。）ごとに、自動運転を規制する情報であってもよい。この場合、例えば、自動運転機能Ｆｃごとに自動化レベルＬｖが規定され、自動運転判定部１７は、自動運転機能Ｆｃごとに、実行可能な自動化レベルＬｖを判定する。なお、自動運転機能Ｆｃは、例えば、レーンキープ機能（ＬＫＡ：Ｌａｎｅ  Ｋｅｅｐｉｎｇ  Ａｓｓｉｓｔ）、自動操舵機能、速度調整機能などを含む。【００６９】
図８（Ａ）は、変形例に係る自動運転能力情報Ｉｃのデータ構造の一例を示す。図８（Ａ）の例では、自動運転機能Ｆｃとして、機能Ａ及び機能Ｂが存在し、機能Ａは自動化レベルＬｖが３段階存在し、機能Ｂは自動化レベルＬｖが２段階存在する。そして、図８（Ａ）の自動運転能力情報Ｉｃは、運転支援装置１の車両が、機能Ａのレベル１〜３及び機能Ｂのレベル２に対応し、かつ、機能Ｂのレベル１に対応していないことを示している。【００７０】
図８（Ｂ）は、変形例に係る自動運転規制情報Ｉｒのデータ構造の一例を示す。図８（Ｂ）の自動運転規制情報Ｉｒによれば、道路区間Ｂの車線Ｂ１では、自動運転機能Ｆｃごとの実行可否及び実行可能な自動化レベルＬｖが規制されている。具体的には、道路区間Ｂの車線Ｂ１では、機能Ａのレベル２以下、及び、機能Ｂのレベル１のみが実行可能であることを示している。この場合、自動運転判定部１７は、図８（Ａ）に示す自動運転能力情報Ｉｃに基づき、機能Ｂのレベル１を実行することができないことから、道路区間Ｂの車線Ｂ１では、機能Ａのレベル１及びレベル２が実行可能であると判定する。このように、自動運転規制情報Ｉｒには、実行可能な自動運転機能Ｆｃ及び自動化レベルＬｖを規制する情報が含まれる。【００７１】
従って、本変形例においても、サーバ装置２は、図８（Ｂ）に示すような自動運転規制情報Ｉｒを含む配信地図ＤＢ２１を記憶し、配信地図ＤＢ２１から抽出した地図データＤ１を運転支援装置１に送信することで、運転支援装置１に自動運転規制情報Ｉｒを含む部分地図ＤＢ１０を記憶させる。これにより、運転支援装置１は、自動運転機能Ｆｃごとに自動化レベルＬｖが定義されている場合であっても、自動運転能力情報Ｉｃ及び自動運転規制情報Ｉｒを参照し、好適に自動運転機能Ｆｃごとに実行可能な自動化レベルＬｖを判定して実行することができる。【００７２】
また、本変形例において、運転支援装置１の表示制御部１９は、図６に示すようにレベル表示線Ｌｎを地図上に表示する場合、道路ごとに実行可能な自動運転機能Ｆｃ及び自動化レベルＬｖが識別できる態様によりレベル表示線Ｌｎを表示してもよい。この場合、例えば、表示制御部１９は、実行可能な自動運転機能Ｆｃごとにレベル表示線Ｌｎを表示すると共に、自動運転機能Ｆｃごとのレベル表示線Ｌｎを実行可能な自動化レベルＬｖに応じて線種や線幅などの自動運転機能Ｆｃごとのレベル表示線Ｌｎの表示態様を変える。【００７３】
なお、図８の例に代えて、各自動運転機能Ｆｃには、自動化レベルＬｖが設けられていなくともよい。この場合、自動運転規制情報Ｉｒの項目「規制内容」には、自動運転機能Ｆｃごとの実行の可否に関する情報が登録され、自動運転能力情報Ｉｃには、自動運転機能Ｆｃごとの車両の実行可否に関する情報が登録される。【００７４】
（変形例３）
運転支援装置１は、部分地図ＤＢ１０とは別に自動運転規制情報Ｉｒを取得及び保持してもよい。この場合、運転支援装置１は、例えば、全ての道路区間に対応する自動運転規制情報Ｉｒを予め記憶しておいてもよく、サーバ装置２から地図データＤ１を取得するタイミングとは異なるタイミングで自動運転規制情報Ｉｒをサーバ装置２から取得してもよい。【００７５】
（変形例４）
運転支援装置１は、配信地図ＤＢ２１の一部に相当する地図データＤ１を受信する代わりに、配信地図ＤＢ２１の全データをサーバ装置２から受信して記憶してもよい。この場合、運転支援装置１は、所定の時点における配信地図ＤＢ２１を予め記憶しておき、更新に必要なデータのみをサーバ装置２から受信してもよい。この場合、運転支援装置１は、所定の時間間隔ごとに、記憶した地図データの更新の要否の問合せをサーバ装置２に対して行い、更新に必要なデータをサーバ装置２から適宜ダウンロードする。【００７６】
（変形例５）
自動運転システムは、運転支援装置１及びサーバ装置２に加え、地図データＤ１に関する運転支援装置１及びサーバ装置２のデータ通信を仲介する配信装置を有してもよい。この場合、配信装置は、運転支援装置１の地図データＤ１の要求信号を受信し、要求信号に基づく地図データＤ１をサーバ装置２から取得する。そして、配信装置は、サーバ装置２から取得した地図データＤ１を、要求元の運転支援装置１へ送信する。【００７７】
（変形例６）
上述した実施例においては、図５に示した通り、車線毎に自動運転に関する規制の内容を登録するようにした。これに代えて、自動運転規制情報Ｉｒとして、道路区間毎に自動運転に関する規制の内容を登録するようにしてもよい。【００７８】
（変形例７）
上述した実施例においては、図５に示した通り、車線毎に自動運転に関する規制の内容を登録するようにした。これに代えて、自動運転規制情報Ｉｒとして、所定のエリアごとに自動運転に関する規制の内容を登録するようにしてもよい。この場合、同一エリア内においては、どの道路区間のどの車線においても、同一の当該登録された自動運転に関する規制が適用されるということとなる。このように構成すれば、道路単位又は車線単位での自動運転レベルの判定が不要となり、演算処理負荷を低減させることが可能となる。また、例えば、当該所定のエリアを行政区として、行政区毎に分割されたエリアごとに自動運転に関する内容（例えば自動運転レベル）が用意されてもよい。【００７９】
（変形例８）
部分地図ＤＢ１０及び配信地図ＤＢ２１は、自動運転規制情報Ｉｒとして、ＰＯＩや地物毎に、自動運転に関する規制の内容を登録するようにしても良い。この場合、ＰＯＩや地物を、対応する自動運転に関する規制情報と関連付けて表示してもよい。【００８０】
図９は、本変形例における自動運転規制情報Ｉｒの一部のデータ構造例を示す。図１０は、図９の自動運転規制情報Ｉｒに含まれる駐車場Ａ、Ｂにおける自動運転の規制内容を示した表示例である。図９に示す自動運転規制情報Ｉｒには、ＰＯＩの一例である駐車場毎に、自動運転に関する規制の内容が登録されている。また、図１０の表示例では、表示制御部１９は、図９の自動運転規制情報Ｉｒに登録されている駐車場Ａ、Ｂを、対応する自動運転に関する規制情報と関連付けて表示させている。【００８１】
駐車場においては、入場してから駐車するまでを自動運転にて行うことが可能である。また、駐車場の広さやその他環境によって、実行可能な自動運転のレベルが異なることが想定される。従って、例えば、駐車スペースが比較的広い場合や高精度に自車位置を推定する際に利用可能なもの（例えば、白線や柱等のセンサで認識可能なもの）が駐車スペース付近に存在する場合は、自動運転レベルを高く設定し、駐車スペースが比較的狭い場合や高精度に自車位置を推定する際に利用可能なものが駐車スペース付近に存在しない場合は、自動運転レベルを低く設定するとよい。【００８２】
また、図１０の表示例に代えて、運転支援装置１は、自動運転規制情報Ｉｒに登録されたＰＯＩや地物を、対応する自動運転に関する規制情報毎に異なる色で（言いかえれば実行可能な自動運転レベル毎に色分けして）表示するようにしてもよい。
【符号の説明】
【００８３】
１  運転支援装置
２  サーバ装置
９  ネットワーク
１１  通信部
１２  記憶部
１３  センサ部
１４  入力部
１５  制御部
１６  出力部
【図１】
2016152874.tif 000003
【図２】
2016152874.tif 000004
【図３】
2016152874.tif 000005
【図４】
2016152874.tif 000006
【図５】
2016152874.tif 000007
【図６】
2016152874.tif 000008
【図７】
2016152874.tif 000009
【図８】
2016152874.tif 000010
【図９】
2016152874.tif 000011
【図１０】
2016152874.tif 000012
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
車両が実行可能な自動運転の程度を示す自動運転規制情報と、表示部に地図を表示させるための地図情報と、を記憶する記憶部と、
前記地図情報及び前記地図における所定区間に対応する前記自動運転規制情報を、車両又は車両と通信可能な配信装置に送信する送信部と、
を備えることを特徴とする地図情報記憶装置。
【請求項２】
前記自動運転規制情報は、車両が実行可能な自動運転の機能ごとの程度を示す情報であることを特徴とする請求項１に記載の地図情報記憶装置。
【請求項３】
地図を表示させるための地図情報と、前記地図における所定区間に対応する、車両が実行可能な自動運転の程度を示す自動運転規制情報と、を取得する取得部と、
前記地図情報と、前記自動運転規制情報と、を表示する表示部と、
を備えることを特徴とする自動運転制御装置。
【請求項４】
車両が実行可能な自動運転の程度を示す自動運転規制情報と、
前記車両の自動運転に関する能力を示す能力情報と、を取得する取得部と、
前記能力情報と、前記自動運転規制情報とに基づいて、前記自動運転を制御する制御部と、
を備えることを特徴とする自動運転制御装置。
【請求項５】
地図を表示させるための地図情報と、車両が実行可能な自動運転の程度を示す自動運転規制情報と、を取得する取得部と、
前記地図情報に基づいて、前記地図を表示する表示部と、を備え、
前記表示部は、前記自動運転規制情報に基づいて、前記地図に含まれる各区間において実行可能な前記自動運転の程度を、前記地図上に明示することを特徴とする地図表示装置。
【請求項６】
車両が実行可能な自動運転の段階的な程度を示す、自動運転規制情報を記憶する記憶部と、
前記自動運転規制情報を、車両又は車両と通信可能な配信装置に送信する送信部と、
を備えることを特徴とする地図情報記憶装置。
【請求項７】
車両が実行可能な自動運転の程度を示す自動運転規制情報と、地図情報と、を記憶する記憶部と、
所定区間に対応する、前記地図情報及び前記自動運転規制情報を、車両又は車両と通信可能な配信装置に送信する送信部と、
を備えることを特徴とする地図情報記憶装置。
【請求項８】
車両が実行可能な自動運転の程度を示す自動運転規制情報と、表示部に地図を表示させるための地図情報と、を記憶する記憶部を有する地図情報記憶装置が実行する制御方法であって、
前記地図情報及び前記地図における所定区間に対応する前記自動運転規制情報を、車両又は車両と通信可能な配信装置に送信する送信工程を有することを特徴とする制御方法。
【請求項９】
車両が実行可能な自動運転の程度を示す自動運転規制情報と、表示部に地図を表示させるための地図情報と、を記憶する記憶部を有する地図情報記憶装置のコンピュータが実行するプログラムであって、
前記地図情報及び前記地図における所定区間に対応する前記自動運転規制情報を、車両又は車両と通信可能な配信装置に送信する送信部として前記コンピュータを機能させることを特徴とするプログラム。
【請求項１０】
請求項９に記載のプログラムを記憶したことを特徴とする記憶媒体。
【手続補正３】
【補正対象書類名】明細書
【補正対象項目名】０００８
【補正方法】変更
【補正の内容】
【０００８】
請求項に記載の発明は、地図情報記憶装置であって、車両が実行可能な自動運転の程度を示す自動運転規制情報と、表示部に地図を表示させるための地図情報と、を記憶する記憶部と、前記地図情報及び前記地図における所定区間に対応する前記自動運転規制情報を、車両又は車両と通信可能な配信装置に送信する送信部と、を備えることを特徴とする。
【手続補正４】
【補正対象書類名】明細書
【補正対象項目名】０００９
【補正方法】変更
【補正の内容】
【０００９】
また、請求項に記載の発明は、自動運転制御装置であって、地図を表示させるための地図情報と、前記地図における所定区間に対応する、車両が実行可能な自動運転の程度を示す自動運転規制情報と、を取得する取得部と、前記地図情報と、前記自動運転規制情報と、を表示する表示部と、を備えることを特徴とする。
また、請求項に記載の発明は、自動運転制御装置であって、車両が実行可能な自動運転の程度を示す自動運転規制情報と、前記車両の自動運転に関する能力を示す能力情報と、を取得する取得部と、前記能力情報と、前記自動運転規制情報とに基づいて、前記自動運転を制御する制御部と、を備えることを特徴とする。
また、請求項に記載の発明は、地図表示装置であって、地図を表示させるための地図情報と、車両が実行可能な自動運転の程度を示す自動運転規制情報と、を取得する取得部と、前記地図情報に基づいて、前記地図を表示する表示部と、を備え、前記表示部は、前記自動運転規制情報に基づいて、前記地図に含まれる各区間において実行可能な前記自動運転の程度を、前記地図上に明示することを特徴とする。
【手続補正５】
【補正対象書類名】明細書
【補正対象項目名】００１０
【補正方法】変更
【補正の内容】
【００１０】
また、請求項に記載の発明は、地図情報記憶装置であって、車両が実行可能な自動運転の段階的な程度を示す、自動運転規制情報を記憶する記憶部と、前記自動運転規制情報を、車両又は車両と通信可能な配信装置に送信する送信部と、を備えることを特徴とする。
また、請求項に記載の発明は、地図情報記憶装置であって、車両が実行可能な自動運転の程度を示す自動運転規制情報と、地図情報と、を記憶する記憶部と、所定区間に対応する、前記地図情報及び前記自動運転規制情報を、車両又は車両と通信可能な配信装置に送信する送信部と、を備えることを特徴とする。
【手続補正６】
【補正対象書類名】明細書
【補正対象項目名】００１１
【補正方法】変更
【補正の内容】
【００１１】
また、請求項に記載の発明は、車両が実行可能な自動運転の程度を示す自動運転規制情報と、表示部に地図を表示させるための地図情報と、を記憶する記憶部を有する地図情報記憶装置が実行する制御方法であって、前記地図情報及び前記地図における所定区間に対応する前記自動運転規制情報を、車両又は車両と通信可能な配信装置に送信する送信工程を有することを特徴とする。
【手続補正７】
【補正対象書類名】明細書
【補正対象項目名】００１２
【補正方法】変更
【補正の内容】
【００１２】
また、請求項に記載の発明は、車両が実行可能な自動運転の程度を示す自動運転規制情報と、表示部に地図を表示させるための地図情報と、を記憶する記憶部を有する地図情報記憶装置のコンピュータが実行するプログラムであって、前記地図情報及び前記地図における所定区間に対応する前記自動運転規制情報を、車両又は車両と通信可能な配信装置に送信する送信部として前記コンピュータを機能させることを特徴とする。
【国際調査報告】
2016152874.tif 000013
2016152874.tif 000014